(57)【特許請求の範囲】
【請求項１】
一方の型と、
一方の型に嵌合された他方の型とを備え、
一方の型は支持体と、支持体の先端側に設けられたブロック体とを有し、
ブロック体はベースと、ベース上に交互に配置された複数の吐出ブロックおよび複数の非吐出ブロックとを有し、吐出ブロックは他方の型との間に吐出口を形成し、非吐出ブロックは他方の型に当接して非吐出部を形成し、
ベースは、一体に形成され、複数の吐出ブロックおよび複数の非吐出ブロックの全幅に亘って延びていることを特徴とするダイヘッド。
【請求項２】
ブロック体は支持体に着脱自在に固定されていることを特徴とする請求項１記載のダイヘッド。
【発明の詳細な説明】
【０００１】
【発明の属する技術分野】
本発明はウェブに対して帯状模様に塗工液を塗布するダイヘッドに関する。
【０００２】
【従来の技術】
従来より、ウェブに対して帯状模様の塗工を行なうダイヘッドとして、吐出口を形成する一対の型と、一対の型間に挟み込まれたテフロン、ポリエステル等の樹脂シート、または銅、アルミ等の金属シートとを有するものが知られている。
【０００３】
この場合、一対の型間には樹脂シートまたは金属シートによって塗工液の非塗工部が形成され、その他の開口部分によって塗工液の吐出口が形成される。
【０００４】
また、一対の型間に、一方の型から突出する突出部を設け、この突出部を非塗工部とするとともに、突出部以外の部分を吐出口とするものも知られている。
【０００５】
さらにまた、一対の型のうちの一方の型に吐出ブロックと非吐出ブロックを交互に設け、吐出ブロックにより吐出口を形成するとともに非吐出ブロックにより非塗工部を設けるものも開発されている。
【０００６】
【発明が解決しようとする課題】
上述したダイヘッドのうち、樹脂シートまたは金属シートを挟み込むものはシートの挟み込み作業が必要となり、面倒であるとともに精度良くシートを挟み込むことはむずかしい。
【０００７】
また一対の型間に突出部を設けるダイヘッドは、この突出部の加工作業が大変であり、高精度に突出部を加工することはむずかしく、精度の良い帯状塗工を行うことができない。
【０００８】
さらにまた、一方の型に吐出ブロックと非吐出ブロックを交互に設けるダイヘッドは、ブロックの組み合わせであるため、高精度に突出部を形成することができるが、吐出ブロックと非吐出ブロックの組付け作業がむずかしく、塗工部を帯状に精度良く塗布することができない場合がある。
【０００９】
本発明はこのような点を考慮してなされたものであり、吐出口と非塗工部を容易にかつ精度良く設けることができ、これによりウェブに対して塗工部を帯状に精度良く塗布することができるダイヘッドを提供することを目的とする。
【００１０】
本発明は、一方の型と、一方の型に嵌合された他方の型とを備え、一方の型は支持体と、支持体の先端側に設けられたブロック体とを有し、ブロック体はベースと、ベース上に交互に配置された複数の吐出ブロックおよび複数の非吐出ブロックとを有し、吐出ブロックは他方の型との間に吐出口を形成し、非吐出ブロックは他方の型に当接して非吐出部を形成し、ベースは、一体に形成され、複数の吐出ブロックおよび複数の非吐出ブロックの全幅に亘って延びていることを特徴とするダイヘッドである。
【００１１】
本発明によれば、少なくとも一方の型は支持体と、ブロック体とを有し、さらにブロック体はベースと、ベース上の吐出ブロックと非吐出ブロックを有するので、ベースに対して吐出ブロックと非吐出ブロックの位置を精度良く定めることができる。また、ベースと吐出ブロックと非吐出ブロックとからなるブロック体を一体として支持体に対して装着するので、吐出ブロックと非吐出ブロックを容易かつ精度良く一方の型に組付けることができる。
【００１２】
【発明の実施の形態】
以下、図面を参照して本発明の実施の形態について説明する。図１および図２は本発明によるダイヘッドの一実施の形態を示す図である。
【００１３】
図１および図２に示すように、ダイヘッド１０はウェブＷに対して帯状模様に塗工部を塗布するものである。すなわち、ダイヘッド１０は一方の型１１と、この一方の型１１に嵌合された他方の型１２とを備え、一方の型１１と他方の型１２との間に塗工液が流入するマニホールド１６が形成されている。
【００１４】
このうち、一方の型１１は下流側の型を構成し、他方の型１２は上流側の型を構成する。
【００１５】
また一方の型１１は支持体１１ａと、支持体１１ａの先端側に着脱自在に固定されたブロック体１５とからなっている。ブロック体１５はベース１３と、ベース１３上に交互に配置された複数の吐出ブロック１４ａおよび複数の非吐出ブロック体１４ｂとを有している。
【００１６】
吐出ブロック１４ａは他方の型１２との間に隙間を形成し、この隙間は塗工液の吐出口１８となる。また非吐出ブロック１４ｂは、他方の型に当接して塗工液の流出を止める非吐出部１９を形成する。
【００１７】
なお、各吐出ブロック１４ａはボルト２３ａとボルト２４ａとによってベース１３に固定され、各非吐出ブロック１４ｂはボルト２３ｂとボルト２４ｂとによってベース１３に固定される。
【００１８】
またベース１３はボルト２２とボルト２１とによって、支持体１１ａに固定される。
【００１９】
次にダイヘッドの組立て方法について説明する。
【００２０】
まず図２に示すように、ベース１３上に吐出ブロック１４ａと、非吐出ブロック１４ｂを交互に配置し、ボルト２３ａ，２４ａおよびボルト２３ｂ，２４ｂにより吐出ブロック１４ａと非吐出ブロック１４ｂをベース１３上に固定する。
【００２１】
このようにしてベース１３に対して、吐出ブロック１４ａと非吐出ブロック１４ｂを精度良く位置決めして固定し、ブロック体１５を構成することができる。
【００２２】
次にベース１３と、吐出ブロック１４ａと、非吐出ブロック１４ｂとからなるブロック体１５を一体として支持体１１ａ上に配置する。次にブロック体１５のベース１３をボルト２１，２２を用いて、支持体１１ａに固定し、このようにしてブロック体１５と支持体１１ａとから一方の型１１を構成する。
【００２３】
このようにして構成された一方の型１１に他方の型１２を嵌合させることにより、ダイヘッド１０が得られる。この場合、吐出ブロック１４ａは他方の型１２との間に吐出口１８を形成し、非吐出ブロック１４ｂは他方の型１２に当接して非吐出部１９を形成する。
【００２４】
吐出口１８の吐出形状、例えば吐出口１８の幅（非吐出部１９間の距離）および吐出口１８の間隙（吐出ブロック１４ａと他方の型１２との間の距離）を変更したい場合は、ベース１３と吐出ブロック１４ａと非吐出ブロック１４ｂとからなるブロック体１５を全体として支持体１１ａから取外して新しいブロック体１５と交換する。
【００２５】
このように本実施の形態によれば、ベース１３と吐出ブロック１４ａと非吐出ブロック１４ｂとからなるブロック体１５を一体として支持体１１ａに対して装着したり取外すので、吐出ブロック１４ａと非吐出ブロック１４ｂを一方の型１１に対して容易かつ簡単に、かつ精度良く組付けることができる。
【００２６】
このため一方の型１１と他方の型１２とからなるダイヘッド１０を用いて、ウェブＷに対して帯状模様に精度良く塗工液を塗布することができる。
【００２７】
【発明の効果】
以上のように本発明によれば、吐出ブロックと非吐出ブロックを容易かつ精度良く一方の型に組付けることができるので、吐出ブロックおよび非吐出ブロックにより吐出口と非吐出部を精度良く形成することができる。このためウェブに対して精度良く帯状模様に塗工液を塗布することができる。
【図面の簡単な説明】
【図１】本発明によるダイヘッドの一実施例を示す斜視図。
【図２】ブロック体を示す斜視図。
【符号の説明】
１０  ダイヘッド
１１  一方の型
１２  他方の型
１３  ベース
１４ａ  吐出ブロック
１４ｂ  非吐出ブロック
１５  ブロック体
１８  吐出口
１９  非吐出部
２１，２２，２３ａ，２３ｂ，２４ａ，２４ｂ  ボルト
【図１】
0004559585.tif 000002
【図２】
0004559585.tif 000003